(57)【要約】【課題】窓材が破損しても破片を周囲に飛び散らないように構成するとともに、製造時の煩雑さやコストを低減することのできる構成を実現する。【解決手段】本発明の携帯時計１０は、内部機構１０Ｘを収容する外装ケース１１，１１′，１３と、該外装ケースの前面側に取り付けられた窓材１２とを有する携帯時計において、前記窓材１２より低脆性の透光板２２が前記窓材１２の外面を前面側より被覆した状態で、該透光板２２の外縁部２２ａが前記外装ケースの内縁部１１ａ′に保持されることを特徴とする。【選択図】図２
2009229167.tif 000002
【特許請求の範囲】
【請求項１】
内部機構を収容する外装ケースと、該外装ケースの前面側に取り付けられた窓材とを有する携帯時計において、
前記窓材より低脆性の透光板が前記窓材の外面を前面側より被覆した状態で、該透光板の外縁部が前記外装ケースの内縁部に保持されることを特徴とする携帯時計。
【請求項２】
前記透光板が前記内縁部に挟み込み状態で保持されることを特徴とする請求項１に記載の携帯時計。
【請求項３】
前記透光板の外縁部は前記窓材の外縁部と一体に前記内縁部に固定されることを特徴とする請求項１又は２に記載の携帯時計。
【請求項４】
前記外装ケースは胴及び該胴の前面側に取り付けられた縁部材を含み、前記窓材の外縁部が前記胴に固定され、前記透光板の外縁部が前記窓材と前記縁部材との間に挟持されることを特徴とする請求項２又は３に記載の携帯時計。
【請求項５】
前記外装ケースは胴及び該胴の前面側に取り付けられた縁部材を含み、前記窓材の外縁部が前記胴に固定され、前記透光板の外縁部が前記縁部材に固定されることを特徴とする請求項１に記載の携帯時計。
【請求項６】
前記透光板の外縁部は前記窓材の外縁部に対し前面側に離間した位置で前記内縁部に固定されることを特徴とする請求項１又は２に記載の携帯時計。
【請求項７】
前記窓材と前記透光板の間に空間が設けられることを特徴とする請求項１乃至６の何れか一項に記載の携帯時計。
【請求項８】
前記窓材は無機透明材料よりなり、前記透光板は有機透明樹脂材料よりなることを特徴とする請求項１乃至７の何れか一項に記載の携帯時計。
【発明の詳細な説明】
【技術分野】
【０００１】
本発明は携帯時計に係り、特に、携帯時計の窓部の構造に関する。
【背景技術】
【０００２】
一般に、腕時計、懐中時計、提げ時計等といった携帯時計の本体構造は、図１２に示すように、ムーブメント等の内部機構１を収容した胴２、ガラス縁３、裏蓋４等よりなる外装ケースと、該外装ケースの前面側に取付けられた窓材５とを具備する。窓材５は前面側より内部の指針や表示体を視認可能とするためのものであり、通常、磨耗等を防止するためにガラス、石英、サファイア等の硬質の無機透明材料で構成される。このような窓材５に関する従来技術としては、窓材の強度を向上させて破損を防止するために窓材と外装ケースとを傾斜した圧接面を介して取り付けた構造が提案されている（例えば、以下の特許文献１参照）。また、特許文献２には、耐衝撃性を高めるために、ベゼルと胴の間に弾性を有する平板状の緩衝体を挟持した構造にするとともに、当該緩衝体と胴との間に窓材を受ける部材の外周部を挿入した構造が開示されている。
【特許文献１】特開平８−２７８３７７号公報
【特許文献２】特開２０００−２５８５６０号公報
【発明の開示】
【発明が解決しようとする課題】
【０００３】
しかしながら、前述の本体構造を宇宙空間で利用する状況を考えると、衝撃等によって窓材５が破損したときに無重力であるために窓材５の破片が外部に飛散することで、宇宙船の各部に故障を生じさせる虞があるとともに、人体に危害が加わる虞もある。
【０００４】
一方、窓材５の破片の飛び散りを防止する方法としては、図１３に示すように、ガラス用の飛散防止フィルム６を窓材５に貼付することが考えられるが、飛散防止フィルム６を小さな携帯時計の窓部に貼付することは極めて困難であり、また、僅かでもフィルムに皺が生ずると視認性の低下をきたし携帯時計としての品質を大幅に低下させてしまうため、製造工程が煩雑になりコストも増大するという問題点がある。
【０００５】
そこで、本発明は上記問題点を解決するもので、その課題は、窓材が破損しても破片を周囲に飛び散らないように構成するとともに、製造時の煩雑さやコストを低減することのできる構成を実現することにある。
【課題を解決するための手段】
【０００６】
斯かる実情に鑑み、本発明の携帯時計は、内部機構を収容する外装ケースと、該外装ケースの前面側に取り付けられた窓材とを有する携帯時計において、前記窓材より低脆性の透光板が前記窓材の外面を前面側より被覆した状態で、該透光板の外縁部が前記外装ケースの内縁部に保持されることを特徴とする。
【０００７】
この発明によれば、より低脆性（窓材よりも柔軟性の高いもの等、破壊応力のより高いもの）の透光板が窓材の外面を前面側より被覆することで、万一窓材の破損が生じても破片が透光板により保持されて飛散しないため、周囲の人的、物的な被害の発生を防止できる。また、透光板の外縁部が外装ケースの内縁部に保持されることで、窓材への飛散防止フィルムの貼り付け作業に比べて作業を容易化できることから、製造時の煩雑さを低減でき、また、製造コストの増大も抑制できる。
【０００８】
本発明の一の態様においては、前記透光板が前記内縁部に挟み込み状態で保持される。これによれば、透光板が外装ケースの内縁部に挟み込み状態で保持されることで、より確実に透光板を取り付けることができるとともに、挟み込みで組み込み作業を完了できるため、さらに作業を容易に行うことが可能になる。
【０００９】
本発明の他の態様においては、前記透光板の外縁部は前記窓材の外縁部と一体に前記内縁部に固定される。これによれば、透光板の外縁部が窓材の外縁部と一体に外装ケースの内縁部に固定されることで、取り付け構造を簡易に構成できるとともに、透光板と窓材を一度に外装ケースの縁部に固定することも可能になる。
【００１０】
この場合に、前記外装ケースは胴及び該胴の前面側に取り付けられた縁部材を含み、前記窓材の外縁部が前記胴に固定され、前記透光板の外縁部が前記窓材と前記縁部材との間に挟持されることが好ましい。これによれば、窓材の外縁部を胴に固定し、その後、透光板の外縁部を介して縁部材を取り付けることで、透光板の外縁部を窓材と縁部材との間に挟持することができるため、透光板の組み込み作業をさらに容易に行うことができる。
【００１１】
本発明の別の態様においては、前記外装ケースは胴及び該胴の前面側に取り付けられた縁部材を含み、前記窓材の外縁部が前記胴に固定され、前記透光板の外縁部が前記縁部材に固定される。これによれば、窓材と透光板とが別部材にそれぞれ固定されることで、取り付け作業をさらに容易に行うことが可能になる。
【００１２】
本発明のさらに別の態様においては、前記透光板の外縁部は前記窓材の外縁部に対し前面側に離間した位置で前記内縁部に固定される。この場合には、窓材の外縁部と透光板の外縁部とが相互に離間した位置で外装ケースの内縁部に固定されることで、装着構造を簡易に構成でき、それぞれの取り付け作業も容易化できる。
【００１３】
本発明の異なる態様においては、前記窓材と前記透光板の間に空間が設けられる。これによれば、当該空間を設けることで窓材と透光板の間に空気層や真空層を介在させることができるため、窓部の断熱性を高めることができるため、外部温度環境による内部機構への影響を低減できる。
【００１４】
本発明においては、前記窓材は無機透明材料よりなり、前記透光板は有機透明樹脂材料よりなることが好ましい。窓材を無機透明材料で構成し、透光板を有機透明樹脂材料で構成することで、透光板の低脆性を確実に得ることができる。
【発明を実施するための最良の形態】
【００１５】
次に、添付図面を参照して本発明の実施形態について詳細に説明する。
【００１６】
［第１実施形態］
最初に、図１及び図２を参照して本発明に係る第１実施形態の携帯時計について説明する。図１は本実施形態に係る携帯時計１０の主要部を示す平面図、図２は本実施形態の拡大部分断面図である。この実施形態の携帯時計１０は本体１０Ａとバンド１０Ｂとを有する腕時計となっている。本体１０Ａは、ムーブメント、文字盤、指針等を含む内部機構１０Ｘが胴１１、ガラス縁１１′、窓材１２、裏蓋１３等よりなる時計ケースの内部に収容される。ここで、胴１１、ガラス縁１１′、裏蓋１３は外装ケースを構成する。胴１１の側部には外部操作部材（リュウズ）１４及び外部操作部材（操作ボタン）１８が突設されている。
【００１７】
外装ケースの前面側の内縁部には、ガラス、石英、サファイア等の硬質無機透明材料よりなる窓材１２が固定される。窓材１２は、胴１１に固定されたガラス縁１１′の内縁部１１ａ′にプラスチック製のパッキン２１を介して背面側より圧入固定される。また、窓材１２の前面側には、ポリエステル樹脂、ポリカーボネート樹脂、アクリル樹脂等の有機透明樹脂材料よりなる透光板２２が配置され、この透光板２２の外縁部２２ａは外装ケースの前面側の内縁部、すなわちガラス縁１１′の環状の内縁部１１ａ′によって前面側から押さえられている。したがって、ガラス縁１１′の内縁部１１ａ′と窓材１２の外縁部１２ａとの間に透光板２２の外縁部２２ａが挟み込まれた状態で保持固定されている。
【００１８】
より具体的に述べると、ガラス縁１１′には、上記内縁部１１ａ′の背面側に、共に背面側に向いた環状の段差面を有する段差部１１ｂ′及び１１ｃ′が階段状に隣接して設けられ、段差部１１ｂ′にはパッキン２１が収容されて窓材２１が固定され、その前面側の段差部１１ｃ′には透光板２２の外縁部２２ａが配置され、上記内縁部１１ａ′と窓材１２とによって挟圧保持される。
【００１９】
ただし、本発明においては、透光板２２の外縁部２２ａは外装ケースの内縁部に挟み込み状態で保持されていればよく、例えば、プラスチック製の上記パッキン２１を用いた圧入の代わりに、透光板２２の外縁部２２ａを挟み込むいずれか一方の部材に対して両面接着テープ、接着剤等で接着してもよい。
【００２０】
なお、本実施形態の透光板２２としては、厚みが０．ｌ〜２．０ｍｍ程度の軟質の合成樹脂フィルムであることが好ましい。このような合成樹脂フィルムであれば、ガラス縁１１′の厚みが低減できるとともに挟み込みが容易であり、背面側から支持される窓材１２に沿って滑らかに延在する態様で取り付けることができるからである。フィルム素材としては、ポリエステル、ポリエチレン等の軟質樹脂材料が好ましい。
【００２１】
本実施形態において、窓材１２と透光板２２とは相互に密着し、直接に重なった状態とされる。有機透明樹脂材料よりなる透光板２２は通常比較的高い光屈折率を有するので、表面に反射防止膜をコーティングすることが好ましい。反射防止膜としては、ＳｉＯ２やＴｉＯ２等の無機材料や有機材料を用いた公知の光学多層膜を用いることができる。
【００２２】
上記とは逆に、表面反射率を高めるための反射膜を透光板２２の表面上にコーティングすることも可能である。反射膜としては、特定の周波数帯の光を選択して反射させたり、可視光領域の少なくとも一部を透過するようにして視認性を確保してもよい。反射膜としては上記と同様に光学多層膜を用いることができる。このようにすると、外部より窓部を通して入射した光による内部機構１０Ｘの加熱などを防止することができる。
【００２３】
また、透光板２２は有機透明樹脂材料よりなることから比較的柔らかいので、表面に擦り傷が発生すること等を防止するためにハードコート膜（表面保護膜）を形成してもよい。ハードコート膜としては、シリコーン樹脂、フッ素樹脂等の有機樹脂材料のほか、ＳｉＯ２やＴｉＯ２等の無機材料なども用いることができる。
【００２４】
本実施形態では、外装ケースの内縁部（ガラス縁１１′）に対して窓材１２をパッキン２１を介して背面側から圧入する際に、透光板（樹脂フィルム）２２を挟んで窓材１２を圧入する。すなわち、ガラス縁１１′の背面側に透光板２２を配置し、そのさらに背面側からパッキン２１と窓材１２を圧入する。これによって窓材１２の圧入固定と同時に透光板２２がガラス縁１１′に挟持された状態で固定される。その後、ガラス縁１１′をネジ等によって胴１１に取り付ける。
【００２５】
以上説明した本実施形態の構成によれば、透光板２２が窓材１２の前面側に配置されることで、窓材１２が破損しても破片が外部に飛び散ることがなくなり、人的及び物的被害を防止できる。また、透光板２２が外装ケースの内縁部に挟み込み状態で保持されるので、透光板２２を窓材１２に対して貼着しなくても確実に外装ケースに装着できるとともに、極めて容易に装着でき、製造時の手間及びコストを低減できる。
【００２６】
また、本実施形態では、透光板２２が窓材１２と一体に外装ケースの内縁部であるガラス縁１１′の内縁部１１ａ′に取り付けられているので、さらに製造が容易になるとともに取り付け構造を簡易に構成できる。特に、本実施形態では胴１１とは別体のガラス縁１１′に窓材１２とともに透光板２２を装着するので、取り付け構造の形成が容易であるとともに、装着作業がさらに容易になる。
【００２７】
［第２実施形態］
次に、図３を参照して本発明に係る第２実施形態の携帯時計について説明する。図２は本実施形態の拡大部分断面図である。なお、本実施形態において第１実施形態と同一部分には同一符号を付し、それらの説明は省略する。
【００２８】
この実施形態では、外装ケースの内縁部であるガラス縁１１′の内縁部に相互に前後方向に離間した二箇所の段差部１１ｄ′及び１１ｅ′が設けられ、段差部１１ｄ′は背面側に向いた環状の段差面を有し、段差部１１ｅ′は段差部１１ｄ′の前面側に離間して設けられ前面側に向いた環状の段差面を有する。そして、段差部１１ｄ′にはパッキン２１を介して窓材１２が圧入固定され、段差部１１ｅ′には同様のパッキン２３を介して透光板２４が圧入固定される。
【００２９】
また、本実施形態では、窓材１２と透光板２４はそれぞれ平板状に構成され、それぞれが相互に離間した位置に装着されることで、両者の間には空間１２Ｓが形成される。空間１２Ｓは図示例の場合密閉空間である。空間１２Ｓには空気のほか、窒素等の特殊ガスが存在するように構成してもよく、或いは、適宜に減圧したり真空としたりしてもよい。いずれにしても、この空間１２Ｓによって携帯時計１０の前面側の断熱性を高めることができ、外部温度による内部機構１０Ｘへの熱的影響を低減できる。
【００３０】
本実施形態の携帯時計の製造においては、ガラス縁１１′に対して背面側より窓材１２を組み込み、前面側より透光板２４を組み込む。両者の組み込み手順はどちらでもよく同時に行ってもよい。このとき、大気圧下で通常の組み込みを行えば、空間１２Ｓには空気層が形成され、真空中で組み込みを行えば空間１２Ｓは真空（減圧状態）となる。このようにガラス縁１１′に窓材１２及び透光板２４を組み込んだ後、ガラス縁１１′を胴１１に取付ける。
【００３１】
なお、本実施形態の透光板２４としては、厚みが１．０〜５．０ｍｍ程度の硬質の合成樹脂板であることが好ましい。このような合成樹脂板であれば、透光板２４が窓材１２の支持がなくても独立してその形状を維持でき、上記の空間１２Ｓも保持できるからである。また、このような合成樹脂板は或る程度の形状保持性を有するため、パッキン２３を介した圧入固定も容易に行うことができる。樹脂板の材質としては、ポリカーボネート、アクリル樹脂（メタクリル酸メチル樹脂；ＰＭＭＡ）等の硬質樹脂材料が好ましい。
【００３２】
［第３実施形態］
次に、図４を参照して本発明に係る第３実施形態の携帯時計について説明する。図３は本実施形態の拡大部分断面図である。なお、本実施形態において第１実施形態と同一部分には同一符号を付し、それらの説明は省略する。
【００３３】
この実施形態は、外装ケースの内縁部であるガラス縁１１′の内縁部１１ａに窓材１２と透光板２５を一体に取り付けた点では第１実施形態と同様であるが、透光板２５の外縁部２５ａが窓材１２側に配置される一方、残りの透視部２５ｂは窓材１２より前面側に離間して配置される。すなわち、透光板２５は、環状の外周部２５ａ′が透視部２５ｂから背面側に屈折若しくは屈曲して段状に低く形成され、この低く形成された外周部２５ａ′をガラス縁１１′の内縁部１１ａ′が前面側から押さえ付けている。
【００３４】
本実施形態では、上記のように構成された透光板２５の断面形状によって窓材１２と透光板２５との間に空間１２Ｓ′が構成される。したがって、第２実施形態と同様に窓部の断熱性を高めることが可能になる。
【００３５】
本実施形態の透光板２５は、合成樹脂を成形することによって上記の断面形状に構成される。この実施形態でも、ガラス縁１１′に透光板２５を挟み込むようにして窓材１２及びパッキン２１を背面側より圧入することで取り付け、その後、ガラス縁１１′を胴１１に取り付け固定する。
【００３６】
なお、本実施形態の透光板２５としては、厚みが０．３〜３．０ｍｍ程度の合成樹脂シートであることが好ましい。このような合成樹脂シートであれば、透光板２５が窓材１２の支持がなくても独立してその形状を維持でき、上記の空間１２Ｓ′も確保できるからである。また、このような合成樹脂シートは或る程度の形状保持性を有するものの比較的薄いため、ガラス縁１１′による挟み込み固定も容易に行うことができ、ガラス縁１１′の厚みも抑制できる。シート材質としては、ポリエステル、ポリエチレン等の軟質樹脂材料であれば１．０〜２．０ｍｍ程度と比較的厚く形成することができ、ポリカーボネート、アクリル樹脂（メタクリル酸メチル樹脂；ＰＭＭＡ）等の硬質樹脂材料であれば０．３〜１．０ｍｍと比較的薄く形成することができる。
【００３７】
［第４実施形態］
次に、図５を参照して本発明に係る第４実施形態の携帯時計について説明する。図５は本実施形態の拡大部分断面図である。なお、本実施形態において第１実施形態と同一部分には同一符号を付し、それらの説明は省略する。
【００３８】
この実施形態は、上記第１実施形態の変形例であり、窓材１２を胴１１の内縁部１１ａにパッキン２１を介して圧入固定し、透光板２２の外縁部２２ａをガラス縁１１′の段差部１１ｃ′内に配置して、胴１１の内縁部１１ａ若しくは窓材１２の外縁部１２ａとガラス縁１１′の内縁部１１ａ′との間に挟み込み状態で保持したものである。なお、図示例では透光板２２の外縁部２２ａが胴１１の内縁部１１ａ及び窓材１２の外縁部１２ａとガラス縁１１′の内縁部１１ａ′との間に挟持されているが、透光板２２の外縁部２２ａを窓材１２の外縁部１２ａのみとガラス縁１１′の内縁部１１ａ′との間に挟持してもよく、或いは、胴１１の内縁部１１ａのみとガラス縁１１′の内縁部１１ａ′との間に挟持しても構わない。
【００３９】
本実施形態は、窓材１２が胴１１に対して固定されるとともに、透光板２２が胴１１若しくは窓材１２とガラス縁（縁部材）１１′の間に挟持されている点で第１実施形態とは異なる。この実施形態では、窓材１２をパッキン２１を介して胴１１に前面側から圧入し、その後、胴１１に対して透光板２２を挟んでガラス縁１１′を取付けることで組み立てられる。
【００４０】
本実施形態では、窓材１２を胴１１に固定し、透光板２２を胴１１若しくは窓材１２とガラス縁１１′との間に挟み込み固定するため、組立工程が二段階となるが、それぞれの組み込み作業を容易に行うことができ、透光板２２の組み込み直しも容易になるという利点がある。
【００４１】
［第５実施形態］
次に、図６を参照して本発明に係る第５実施形態の携帯時計について説明する。図６は本実施形態の拡大部分断面図である。なお、本実施形態において第１実施形態及び第２実施形態と同一部分には同一符号を付し、それらの説明は省略する。
【００４２】
この実施形態は、上記第２実施形態の変形例であり、窓材１２を胴１１の内縁部１１ａにパッキン２１を介して圧入固定するとともに、透光板２４の外縁部２４ａを段差部１１ｃ′内に配置して、ガラス縁１１′の内縁部１１ａ′にパッキン２３を介して圧入固定している。この実施形態では、第２実施形態と同様に窓材１２と透光板２４とが別の位置に取り付けられているが、取り付け相手が相互に異なる部材となっている点で異なる。
【００４３】
製造に際しては、胴１１に窓材１２を組み込み、ガラス縁１１′に透光板２４を組み込み、その後、ガラス縁１１′を胴１１に取り付ける。ただし、本実施形態では、この製造方法に限らず、窓材１２の組み込み作業の後に、透光板２４の組み込み作業とガラス縁１１′の胴１１への取り付け作業のいずれを先に行っても構わない。
【００４４】
本実施形態では上記第２実施形態と同様の作用効果を奏するほか、窓材１２と透光板２４で組み込み相手が異なることで、それぞれの組み込み作業を他方の部材とは無関係に実施できることから、さらに作業を容易に行うことができる。
【００４５】
［第６実施形態］
次に、図７を参照して本発明に係る第６実施形態の携帯時計について説明する。図７は本実施形態の拡大部分断面図である。なお、本実施形態において第１実施形態及び第３実施形態と同一部分には同一符号を付し、それらの説明は省略する。
【００４６】
この実施形態は第３実施形態の変形例であり、胴１１の内縁部１１ａにパッキン２１を介して窓材１２が圧入固定されるとともに、透光板２５の外縁部２５ａがガラス縁１１′の内縁部１１ａ′と窓材１２の外縁部１２ａとの間に挟持される。ただし、第４実施形態と同様に、透光板２５の外縁部２５ａをガラス縁１１′の内縁部１１ａ′と胴１１の内縁部１１ａとの間に挟持してもよく、ガラス縁１１′の内縁部１１ａ′と胴１１の内縁部１１ａ及び窓材１２の外縁部１２ａとの双方の間に挟持しても構わない。
【００４７】
［第７実施形態］
次に、図８を参照して本発明に係る第７実施形態の携帯時計について説明する。図８は本実施形態の拡大部分断面図である。なお、本実施形態において第１実施形態及び第２実施形態と同一部分には同一符号を付し、それらの説明は省略する。
【００４８】
この実施形態では、窓材１２と透光板２４とを貼り合わせて一体化し、これをパッキン２６を介して外装ケースの内縁部であるガラス縁１１″の内縁部１１ａ″に固定している。内縁部１１ａ″は透光板２４の外縁部２４ａを前面側より押さえ付け、結果として透光板２４の外縁部２４ａが内縁部１１ａ″と窓材１２の外縁部１２ａとの間に挟持される。ガラス縁１１″には内縁部１１ａ″の背面側に背面側に向いた段差面を有する段差部１１ｂ″が形成され、この段差部１１ｂ″にパッキン２６を介して窓材１２の外縁部１２ａ及び透光板２４の外縁部２４ａを一体に圧入固定している。
【００４９】
この場合、透光板２４の代わりにより薄く若しくはより軟質の透光板２５を用いることも可能である。ただし、さらに薄く若しくはさらに軟質の透光板２２を用いる場合には貼着作業が困難となるので、少なくとも自己形状を保持可能な程度の剛性を備えた透光板であることが望ましい。
【００５０】
［第８実施形態］
次に、図９を参照して本発明に係る第８実施形態の携帯時計について説明する。図９は本実施形態の拡大部分断面図である。なお、本実施形態において第１実施形態と同一部分には同一符号を付し、それらの説明は省略する。
【００５１】
この実施形態では、透光板２２の外縁部２２ａが外装ケースの内縁部であるガラス縁１１′の内縁部１１ａ′で押さえ付けられる構造は第１実施形態と同様であるが、当該外縁部２２ａには厚み方向に屈折した屈折部２２ｂをさらに延長形成し、この屈折部２２ｂがガラス縁１１′の段差部１１ｂ′と窓材１２の外縁部１２ａとの間に介在するパッキンとして機能している。
【００５２】
本実施形態では、ガラス縁１１′に対して背面側に透光板２２を配置し、上記屈折部２２ｂが段差部１１ｂ′の内側に配置されるようにした上で、さらに背面側から窓材１２を圧入することで、窓材１２と透光板２２とが一体に固定される。
【００５３】
ここで、透光板２２を比較的薄く軟質の素材（フィルム）で構成した場合には、透光板２２の外縁部２２ａが窓材１２の圧入時に自然に変形して図示のような断面Ｌ字状に構成されるようにしてもよい。また、透光板２２をパッキン２１や透光板２５と同様の素材で構成した場合には、予め外縁部２２ａを断面Ｌ字状となるように成形しておき、段差部１１ｂ′に整合させた状態として窓材１２の圧入を行ってもよい。
【００５４】
［第９実施形態］
次に、図１０を参照して本発明に係る第９実施形態の携帯時計について説明する。図１０は本実施形態の拡大部分断面図である。なお、本実施形態において第１実施形態及び第７実施形態と同一部分には同一符号を付し、それらの説明は省略する。
【００５５】
この実施形態では、窓材１２と透光板２４とを貼り合わせて一体化し、これをパッキン２７を介して固定している点では第７実施形態と同様であるが、窓材１２がガラス縁１１″ではなく胴１１に固定されている点で異なる。図示例の場合、窓材１２の外縁部１２ａのみが胴１１の内縁部１１ａにパッキン２７を介して圧入固定され、透光板２４の外縁部２４ａは段差部１１ｂ″内に配置され、胴１１には直接当接していないが、透光板２４の外縁部２４ａを単独で或いは窓材１２の外縁部１２ａとともに胴１１に固定するようにしてもよい。
【００５６】
透光板２４の外縁部２４ａは、外装ケースの内縁部であるガラス縁１１″の内縁部１１ａ″に押さえ付けられ、段差部１１ｂ″の内部において上記内縁部１１ａ″と窓材１２との間に挟持されている。
【００５７】
［第１０実施形態］
次に、図１１を参照して本発明に係る第１０実施形態の携帯時計について説明する。図１１は本実施形態の拡大部分断面図である。なお、本実施形態において第１実施形態及び第８実施形態と同一部分には同一符号を付し、それらの説明は省略する。
【００５８】
この実施形態では、窓材１２と外装ケースの内縁部であるガラス縁１１′の内縁部１１ａ′との間に断面Ｌ字状とされた環状の透光板２８が介在している。この透光板２８は、ガラス縁１１′の内縁部１１ａ′と窓材１２の外縁部１２ａとの間に介在し、窓材１２の外面１２に沿った前面部２８ａと、該前面部２８ａの外縁から屈折して厚み方向背面側に伸びる背面部２８ｂとを有し、当該背面部２８ｂが窓材１２をガラス縁１１′に固定するパッキンとして機能している。
【００５９】
本実施形態では、透光板２８の前面部２８ａが窓材１２の透視部分を全面的に覆っていない点で先の各実施形態、特に第８実施形態とは異なるが、前面部２８ａと背面部２８ｂによって窓材１２の外縁部１２ａの前面側及び外周側がガラス縁１１′に対して完全に被覆され、これによって窓材１２の外縁部１２ａが破損したとき、破片が外部に飛び散ることが防止される。また、衝撃力が窓材１２の外縁部１２ａとガラス縁１１′との間に加わって外縁部１２ａが破損することを防止する緩衝機能をも有する。
【００６０】
なお、上記前面部２８ａは少なくともガラス縁１１′の内縁部１１ａ′より内側に延在しているが、内縁部１１ａ′から前面部２８ａの内縁までの距離は任意である。例えば、前面部２８ａの内縁を窓材１２の中央部付近まで延長しても構わない。
【００６１】
［実施例の評価］
最後に、上記各実施形態の構造を有する実施例を試作し、宇宙空間での使用（船外活動）を想定した試験を実施した。評価項目は、無重量下で窓材が割れた場合に安全か否か（「安全性」）、時計として時刻（時分）がはっきりと読み取れるか否か（「視認性」）、透光板の組み込む際の作業が容易か否か（「組み込み性」）の三点とした。
【００６２】
上記の試験は、図１２に示す従来例、図１３に示す比較例、図２に示す実施例１、図３に示す実施例２、図４に示す実施例３、図５に示す実施例４、図６に示す実施例５、図７に示す実施例６、図８に示す実施例７、図９に示す実施例８、図１０に示す実施例９、図１１に示す実施例１０のそれぞれの試作品について行った。
【表１】
2009229167.tif 000003
【００６３】
上記の試験の結果、各実施例１〜１０はいずれも従来例及び比較例に対して優位性を有している。また、上記の評価項目にはないが、実施例２、３、５、６については空間１２Ｓ、１２Ｓ′により窓部の断熱性が向上し、内部機構１０Ｘの温度変動を抑制することができるため、宇宙船の船外活動時にはさらに有効なものとなる。
【００６４】
尚、本発明の携帯時計は、上述の図示例にのみ限定されるものではなく、本発明の要旨を逸脱しない範囲内において種々変更を加え得ることは勿論である。例えば、上記各実施形態では窓材若しくは透光板をガラス縁に取付けているが、ガラス縁を設けることなく胴に窓材若しくは透光板を直接取り付けるように構成しても構わない。
【００６５】
また、上記実施形態では基本的に透光板を常時装着して用いるように構成された携帯時計を示しているが、例えば、宇宙空間等の厳しい環境で用いる場合にのみ透光板を装着し、その他の場合には透光板のみを取り外した状態で用いることができるように構成してもよい。たとえば、第４乃至第６実施形態、及び、第９実施形態では、窓材が胴に固定されているので、ガラス縁を取り外すことで透光板を除去した状態とすることができ、そのまま透光板なしで使用することも可能である。このように構成することで、用途に応じた最適な構成で携帯時計を用いることができる。
【図面の簡単な説明】
【００６６】
【図１】本発明に係る実施形態の携帯時計の平面図。
【図２】第１実施形態の概略拡大断面図（図１のII−II′線に沿った断面図）。
【図３】第２実施形態の概略拡大断面図。
【図４】第３実施形態の概略拡大断面図。
【図５】第４実施形態の概略拡大断面図。
【図６】第５実施形態の概略拡大断面図。
【図７】第６実施形態の概略拡大断面図。
【図８】第７実施形態の概略拡大断面図。
【図９】第８実施形態の概略拡大断面図。
【図１０】第９実施形態の概略拡大断面図。
【図１１】第１０実施形態の概略拡大断面図。
【図１２】従来の携帯時計の概略拡大断面図。
【図１３】従来の携帯時計の窓部に飛散防止フィルムを貼付した様子を示す概略拡大断面図。
【符号の説明】
【００６７】
１０…携帯時計、１０Ａ…本体、１１…胴、１１ａ…内縁部、１１′、１１″…ガラス縁（縁部材）、１１ａ′１１ａ″…内縁部、１１ｂ′、１１ｃ′、１１ｄ′、１１ｅ′、１１ｂ″…段差部、１２…窓材、１２ａ…外縁部、１３…裏蓋、１４、１８…外部操作部材、２１、２３、２６、２７…パッキン、２２、２４、２５、２８…透光板、２２ａ、２４ａ、２５ａ、２８ａ…外縁部
【図１】
2009229167.tif 000004
【図２】
2009229167.tif 000005
【図３】
2009229167.tif 000006
【図４】
2009229167.tif 000007
【図５】
2009229167.tif 000008
【図６】
2009229167.tif 000009
【図７】
2009229167.tif 000010
【図８】
2009229167.tif 000011
【図９】
2009229167.tif 000012
【図１０】
2009229167.tif 000013
【図１１】
2009229167.tif 000014
【図１２】
2009229167.tif 000015
【図１３】
2009229167.tif 000016